【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
複合光学素子であって、複数のポリマーシートおよび基材を備え、ここで、該複数のポリマーシートのうちの少なくとも１つは、光配向させたポリマーシートであり、そしてここで、該少なくとも１つの光配向させたポリマーシートは、フォトクロミック二色性材料を含み、
該フォトクロミック二色性材料は、
（ａ）ピラン、オキサジンおよびフルギドから選択される少なくとも１個のフォトクロミック基（ＰＣ）；および
（ｂ）少なくとも１種類の延長剤Ｌ
を含む化合物を含み、該少なくとも１種類の延長剤Ｌは、該フォトクロミック基に結合し、そして
−［Ｓ１］ｃ−［Ｑ１−［Ｓ２］ｄ］ｄ’−［Ｑ２−［Ｓ３］ｅ］ｅ’−［Ｑ３−［Ｓ４］ｆ］ｆ’−Ｓ５−Ｐ
により表され、ここで
（ｉ）各Ｑ１、Ｑ２およびＱ３は、独立して、各存在について、非置換または置換芳香族基、非置換または置換脂環式基、非置換または置換複素環式基およびその混合物から選択される二価基から選択され、ここで、置換基は、Ｐで表される基、チオール、アミド、液晶メソゲン、ハロゲン、Ｃ１〜Ｃ１８アルコキシ、ポリ（Ｃ１〜Ｃ１８アルコキシ）、アミノ、アミノ（Ｃ１〜Ｃ１８）アルキレン、Ｃ１〜Ｃ１８アルキルアミノ、ジ−（Ｃ１〜Ｃ１８）アルキルアミノ、Ｃ１〜Ｃ１８アルキル、Ｃ２〜Ｃ１８アルケン、Ｃ２〜Ｃ１８アルキン、Ｃ１〜Ｃ１８アルキル（Ｃ１〜Ｃ１８）アルコキシ、Ｃ１〜Ｃ１８アルコキシカルボニル、Ｃ１〜Ｃ１８アルキルカルボニル、Ｃ１〜Ｃ１８アルキルカーボネート、アリールカーボネート、Ｃ１〜Ｃ１８アセチル、Ｃ３〜Ｃ１０シクロアルキル、Ｃ３〜Ｃ１０シクロアルコキシ、イソシアナト、アミド、シアノ、ニトロ、直鎖または分枝鎖Ｃ１〜Ｃ１８アルキル基（シアノ、ハロまたはＣ１〜Ｃ１８アルコキシによる一置換であるか、または、ハロおよび下記式：−Ｍ（Ｔ）（ｔ−１）およびＭ（ＯＴ）（ｔ−１）（式中、Ｍは、アルミニウム、アンチモン、タンタル、チタン、ジルコニウムおよびケイ素から選択され、Ｔは、有機官能残基、有機官能炭化水素残基、脂肪族炭化水素残基および芳香族炭化水素残基から選択され、そしてｔは、Ｍの原子価である）の１つで表される基による多置換である）から選択され；
（ｉｉ）ｃ、ｄ、ｅおよびｆは、各々、独立して、０と２０とを含めた０〜２０の範囲の整数から選択され；そして各Ｓ１、Ｓ２、Ｓ３、Ｓ４およびＳ５は、独立して、各存在について、
（Ａ）  −（ＣＨ２）ｇ−、−（ＣＦ２）ｈ−、−Ｓｉ（ＣＨ２）ｇ−、−（Ｓｉ［（ＣＨ３）２］Ｏ）ｈ−（式中、ｇは、独立して、各存在について１〜２０から選択される；ｈは、１と１６とを含めた１〜１６の整数である）；
（Ｂ）  −Ｎ（Ｚ）−、−Ｃ（Ｚ）＝Ｃ（Ｚ）−、−Ｃ（Ｚ）＝Ｎ−、−Ｃ（Ｚ’）−Ｃ（Ｚ’）−（式中、Ｚは、独立して、各存在について、水素、Ｃ１〜Ｃ６アルキル、シクロアルキルおよびアリールから選択され、そしてＺ’は、独立して、各存在について、Ｃ１〜Ｃ６アルキル、シクロアルキルおよびアリールから選択される）；および
（Ｃ）  −Ｏ−、−Ｃ（Ｏ）−、−Ｃ≡Ｃ−、−Ｎ＝Ｎ−、−Ｓ−、−Ｓ（Ｏ）−、−Ｓ（Ｏ）（Ｏ）−、直鎖または分枝鎖Ｃ１〜Ｃ２４アルキレン残基（該Ｃ１〜Ｃ２４アルキレン残基は、非置換、シアノもしくはハロによる一置換またはハロによる多置換である）
から選択されるスペーサー単位から選択され、
ただし、ヘテロ原子を含有する２個のスペーサー単位が互いに結合している場合、該スペーサー単位は、ヘテロ原子が互いに直接結合しないように結合し、そしてＳ１およびＳ５が、それぞれＰＣおよびＰに結合する場合、これらは、２つのヘテロ原子が互いに直接結合しないように結合するものとし、
（ｉｉｉ）Ｐが、アジリジニル、水素、ヒドロキシ、アリール、アルキル、アルコキシ、アミノ、アルキルアミノ、アルキルアルコキシ、アルコキシアルコキシ、ニトロ、ポリアルキルエーテル、（Ｃ１〜Ｃ６）アルキル（Ｃ１〜Ｃ６）アルコキシ（Ｃ１〜Ｃ６）アルキル、ポリエチレンオキシ、ポリプロピレンオキシ、エチレン、アクリレート、メタクリレート、２−クロロアクリレート、２−フェニルアクリレート、アクリロイルフェニレン、アクリルアミド、メタクリルアミド、２−クロロアクリルアミド、２−フェニルアクリルアミド、エポキシ、イソシアネート、チオール、チオイソシアネート、イタコン酸エステル、ビニルエーテル、ビニルエステル、スチレン誘導体、シロキサン、主鎖型および側鎖型液晶ポリマー、エチレンイミン誘導体、マレイン酸誘導体、フマル酸誘導体、非置換ケイ皮酸誘導体、ケイ皮酸誘導体（これらは、メチル、メトキシ、シアノおよびハロゲンの少なくとも１種で置換されている）、ならびにステロイド残基、テルペノイド残基、アルカロイド残基およびその混合物から選択される置換および非置換キラルおよび非キラル一価または二価基（ここで、置換基は、独立して、アルキル、アルコキシ、アミノ、シクロアルキル、アルキルアルコキシ、フルオロアルキル、シアノアルキル、シアノアルコキシおよびその混合物から選択される）から選択され；そして
（ｉｖ）ｄ’、ｅ’およびｆ’は、各々、独立して、０、１、２、３および４から選択されるが、ただし、ｄ’＋ｅ’＋ｆ’の合計は少なくとも３であり、
そしてここで、該フォトクロミック二色性材料が、少なくとも化学線放射に応答して第１の状態から第２の状態へと移行するように適合されており、そして少なくとも該第２の状態において、少なくとも透過放射線を直線偏光するように適合されており、ここで、該光配向させたポリマーシートは、活性化状態において直線偏光を示し、そしてここで、該光配向させたポリマーシートの少なくとも一部分は、該基材の少なくとも一部分に接続されている、
複合光学素子。
【請求項２】
前記ポリマーシートが、ポリビニルアルコール、ポリ塩化ビニル、ポリウレタン、ポリアクリレートおよびポリカプロラクタムからなる群から選択されるポリマー材料を含む、請求項１に記載の複合光学素子。
【請求項３】
前記基材が、ポリカーボネート、ポリウレタン、ポリ（ウレア）ウレタン、ポリチオウレタン、ポリオール（アリルカーボネート）、これらのコポリマー、またはこれらの混合物を含む、請求項１に記載の複合光学素子。
【請求項４】
前記基材の少なくとも一部分に接続された保護コーティングをさらに備える、請求項１に記載の複合光学素子。
【請求項５】
前記保護コーティングが、耐摩耗性コーティング、酸素バリアコーティング、ＵＶ遮光性コーティング、またはこれらの組み合わせを含む、請求項４に記載の複合光学素子。
【請求項６】
前記光学素子が、眼科用素子、ディスプレイ素子、ウィンドウ、反射鏡、ならびに／あるいは能動および受動液晶セル素子およびデバイスを備える、請求項１に記載の光学素子。
【請求項７】
前記眼科用素子が、矯正レンズ、非矯正レンズ、コンタクトレンズ、眼内レンズ、拡大鏡、保護レンズ、または遮光板を含む、請求項６に記載の光学素子。
【請求項８】
前記基材が、薄い着色のない基材、薄く着色された基材、フォトクロミック基材、薄く着色されたフォトクロミック基材、および直線偏光基材を含む、請求項１に記載の光学素子。
【請求項９】
前記ディスプレイ素子が、スクリーン、モニター、およびセキュリティ素子を含む、請求項６に記載の光学素子。
【請求項１０】
前記セキュリティ素子が、１つ以上のコーティングまたはシートを含み、視角依存性特性を有する多層反射セキュリティ素子を形成する、請求項９に記載の光学素子。